(57)【要約】【課題】多機能カードを提供する。【解決手段】本考案の多機能カードは、カード本体1の表面が、本体より若干小さい線フレーム１０により、内部と外周部分に区分している。外周の各角に、それぞれ中国将棋符号１１、八卦符号１２、マージャン符号１３、トランプ符号１４及び英文アルファベット１５を印刷すると共に、中国将棋符号と前記英文アルファベット符号間に、更に、英単語１８を印刷し、英単語１８は、中国語注釈も付いている。内部は、上下半部に区画され、上半部には、上述の英単語によりなる多数の英文を有し、下半部には、日常生活でよく見られる、中国語注釈が付いた数個の同類型の英単語を有する。上述のような構造により、一人か複数人で、ゲームが同時に進行でき、また、好みでゲームを選択することができ、更に、ゲームの過程で、自然に、英単語や例文が記憶でき、学習効果を有すると共に、カードの多元性及び実用価値を有する。【選択図】図１
0003107601.tif 000002
【実用新案登録請求の範囲】
【請求項１】
多機能カードであって、紙、或いは、プラスチック素材の長方形薄片状のカード本体からなり、
前記カードは、表面が、前記本体より若干小さい線フレームにより、内部と外周部分を区分し、前記外周の角に、それぞれ、中国将棋符号、八卦符号、マージャン符号、トランプ符号、及び、アルファベットを印刷すると共に、前記中国将棋符号と前記アルファベット符号間に、更に、英単語を印刷し、前記英単語は、中国語注釈も付いて、前記内部は、上下半部に区分され、前記上半部には、上述の英単語によりなる多数の英文を有し、前記下半部には、日常生活でよく見られる、中国語注釈が付いた数個の同類型の英単語を有することを特徴とする多機能カード。
【請求項２】
前記カードの数量は、八卦の組み合わせからなる最大組み合わせ値であり、この数量に満たない符号の種類は、空白か、その中のある種のパターン設計を重複する予備カードとして配置することを特徴とする請求項１に記載の多機能カード。
【請求項３】
前記将棋符号は、将と帥が各２枚、士と仕が各４枚、象と相が各４枚、車と俥が各４枚、馬とイ馬が各４枚、砲と炮が各４枚、卒と兵が各５枚で、合計５４枚であることを特徴とする請求項１に記載の多機能カード構造。
【請求項４】
前記麻雀符号は、萬子、索子、筒子のみで、大字、花牌がなく、前記萬子は１〜９万まで各２枚で、前記筒子は１〜９筒まで各２枚、前記索子は１〜９索まで各２枚で、合計５４枚であることを特徴とする請求項１に記載の多機能カード。
【請求項５】
前記トランプは、Ａ〜Ｋまで１３種、各種４枚で、ジョーカーは２枚、合計５４枚であることを特徴とする請求項１に記載の多機能カード。
【考案の詳細な説明】
【技術分野】
【０００１】
本考案は、多機能カードに関するものであって、特に、カード上の外周に、象棋（中国の将棋）、八卦、マージャン、トランプ等の符号、及び、英文字（アルファベットの内の１文字）と、学習対象の英単語とその中国語注釈を附設し、内部の上方半分に、上述の英単語を使用した数種類の例文を、そして更に内部の下方半分に、生活において常用する数個の英単語とその中国語注釈を附設した、多機能カードに関するものである。
【背景技術】
【０００２】
人々は余暇としてゲーム遊びをするが、その種類は豊富で、例えば、中国将棋、囲碁、跳棋（ダイヤモンドゲームのようなもの）、マージャン、トランプ等があり、その中でも、トランプは遊び方に於いても多様化しており、占いにも利用できるので、人々に好まれて使用に供されている。
【０００３】
しかし、上述のその他のゲームでは専用の用具が必要であり、例えば、中国将棋において、駒には、黒色と赤色の二色があり、黒色にも、将、士、象、車、馬、砲、卒があり、赤色にも、帥、仕、相、俥、イ馬（以下、この語句は「人偏に馬」という中国語に相当する）、炮、兵がある。囲碁は、白黒の二色の駒がある。跳棋は、赤、黄色、緑色の三色の駒がある。トランプは、ハート、スペード、クローバー、ダイヤ、及び、ジョーカーがある。実際の使用にあっては、ルールに従ってゲームを実践するようになっている。
上述のような数種のゲームにおいては、それぞれに専用の用具を必要とするため、家や特定の場所で使用することになり、好きな時に好きな場所でゲームができるように外出時に携帯するにはいささか不便であり、同時に多種の異なるゲーム用具を携帯するのは、嵩張って空間を占有し、使用後にかたずけて収納するのは、更に面倒である。
【０００４】
よって、本考案者は、数種類のゲームを一体に組み込んだ多機能カードで、使用が便利であると共に、ゲームの過程で、学習できるような多機能カードを考え出した。
【考案の開示】
【考案が解決しようとする課題】
【０００５】
本考案は、使用する場合、好みでゲームを選択することができ、ゲーム過程で、英語の単語や熟語や例文を記憶でき、自然に学習効果が得られるような、多元性、及び、実用価値を具備する多機能カード構造を提供することを目的とする。
【課題を解決するための手段】
【０００６】
上述の目的を達成するため、本考案は、カードを６４枚用意すると共に（八卦のパターンは６４種で、最大値であり、この数量に満たない符号、例えば、象棋、マージャン、トランプは、空白、或いは、重複するパターンである）、各カード上は線フレームで外周と区分され、外周の角に、それぞれ、中国将棋、八卦、マージャン、トランプの符号、及び、アルファベットを有し、中国将棋符号とアルファベット符号間に、更に、英単語を印刷し、中国語注釈も付いている。カードの内部は上，下半部に区分され、上半部には、上述の表題英単語を使用した多数の英文を有し、下半部には、日常生活でよく見られる、中国語注釈が付いた同系列の英単語を数個有する。このようなカードの設計により、使用者は、趣味や好みにより自由に、占いや、将棋、麻雀、トランプを選択でき、また、ゲームの過程で、自然に、英単語や英文を記憶するような効果も達成される。
【考案の効果】
【０００７】
本考案の特殊な設計の多機能カードにより、種類、遊び方が豊富で、変化に富み、カードの設計上も美しく、学習価値があるほか、外出携帯時にも、このカードだけを携帯すれば、八卦、将棋、麻雀、トランプなどの多種のゲームが自由に選択でき、体積も小さく、空間を占有しないので、携帯も便利で、多元性及び実用性を備えている。
【考案を実施するための最良の形態】
【０００８】
以下、図面を参照して本考案の好適な実施の形態を詳細に説明する。
【実施例】
【０００９】
図１は、本考案の多機能カードの一実施例を示す斜視図で、紙或いはプラスチック素材で長方形薄片状に形成したカード本体１からなる。
カード本体１は、図１で示されるように、その表面が、カード本体１の外周より若干小さい線フレーム１０により、内部と外周部分とに区分されている。そして、前記カード本体１の外周の各角部には、それぞれ中国将棋符号１１、八卦符号１２、マージャン符号１３、トランプ符号１４及び英文アルファベット１５を印刷すると共に、中国将棋符号１１と英文アルファベット１５間には、更に、学習対象となる英単語１６が印刷され、英単語１６には中国語注釈も付いている。
カード本体１の内部は、更に上下半部に区画されていて、上半部には、上述の対象英単語１６を使用した英語例文１７が多数印刷されており、下半部には、たとえば「曜日」など日常生活でよく見られる数個の英単語１８が中国語注釈と共に印刷されている。
【００１０】
カード本体１は、６４枚で、八卦を重ね合わせた６４パターンを最大値とし、八卦の符号は、離、坤、兌、乾、坎、艮、震、巽、があり、八卦の組み合わせが８×８＝６４で、６４種のパターンがある。これにより、八卦符号１２は、図２で示されるように、各種８枚の配置形式である。
【００１１】
中国将棋１１の配置は、図３で示されるように、黒色は、将、士、象、車、馬、砲、卒があり、赤色は、帥、仕、相、俥、イ馬、炮、兵がある。その数量は、それぞれ、将と帥が各２枚、士と仕が各４枚、象と相が各４枚、車と俥が各４枚、馬とイ馬が各４枚、砲と炮が各４枚、卒と兵が各５枚で、合計５４枚で、二組の将棋符号１１が運用できる。
【００１２】
マージャン符号１３の配置は、図４で示されるように、その符号の種類が公知のマージャンとは異なり、萬子、索子、筒子のみで、大字、花牌がない。萬子は１〜９万まで各２枚で、筒子は１〜９筒まで各２枚、索子は１〜９索まで各２枚で、合計５４枚である。
【００１３】
トランプ符号１４は、図５で示されるように、Ａ〜Ｋまで１３種で、各種４枚で、ジョーカー（通称、鬼）は２枚、合計５４枚である。
【００１４】
また、上述の６４枚に満たない符号の種類、例えば、中国将棋１１、麻雀符号１３、トランプ１４は、空白、或いは、図６で示されるように、ある種のパターンが重複した設計の予備カードとする。
【００１５】
上述のカード本体１の構造は、使用上、使用者は好みにより自由に、占い、将棋、麻雀、トランプのゲームを選択することができる。
占いをしたい場合には、カード左上の八卦符号１２を主とし、八卦に精通する使用者がルールに従って活用し、各種自然現象、或いは、生活百態に対応して、適切な解説、指示をする。
将棋の時は、カードの左上の将棋符号１１を主とし、カードを二組に分け、最多で、二組の人が同時に進行でき、その遊び方、ルールは、一般の将棋と同じか、或いは、自由に変化できる。
麻雀の場合は、カード上の左下の麻雀符号１３を主とし、最多で４人で同時に進行できる。
トランプの場合は、カードの右下のトランプ符号１４を主とし、その遊び方は、非常に多く、自由に発揮できる。
また、あるゲームの進行中に、使用者が手持ちのカード１を読めば、そこに印刷されている英単語や例文を見ることで記憶するなど、自然な学習効果が達成される。
【００１６】
上述から分かるように、本考案の特殊な設計の多機能カード構造により、公知のカードと比較して、種類や遊び方が豊富で、変化に富み、カードの設計上も美しく、学習価値がある。この他、外出携帯時にも、このカードだけを携帯すれば、八卦、将棋、麻雀、トランプなどの多種のゲームが自由に選択でき、故に、非常に便利である。また、体積も小さく、空間を占有しないので、携帯にも便利で、多元性、且つ、実用性を備えている。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案登録請求の範囲で指定した内容を基準とする。
【図面の簡単な説明】
【００１８】
【図１】本考案の多機能カードの一実施例を示した説明図である。
【図２】本考案の多機能カードの八卦符号数量の配置図である。
【図３】本考案の多機能カードの将棋符号数量の配置図である。
【図４】本考案の多機能カードの麻雀符号数量の配置図である。
【図５】本考案の多機能カードのトランプ符号数量の配置図である。
【図６】本考案の多機能カードの変形例を示した説明図である。
【符号の説明】
【００１９】
１…カード本体
１０…線フレーム
１１…将棋符号
１２…八卦符号
１３…麻雀符号
１４…トランプ符号
１５…英文アルファベット
１６…英単語
１７…英文
１８…英単語
【図１】
0003107601.tif 000003
【図２】
0003107601.tif 000004
【図３】
0003107601.tif 000005
【図４】
0003107601.tif 000006
【図５】
0003107601.tif 000007
【図６】
0003107601.tif 000008